(57)【要約】      （修正有）【課題】折り位置を示す折り線が予め印刷された折り紙であって、より簡単にかつ正確に折ることができるように改良された折り鶴用折り紙を提供する。【解決手段】折り位置を示す折り線が印刷された正方形の折り鶴用の折り紙１１であって、第１の折り線１２は片方の対角線に沿って直線状に形成され、第２の折り線１３は四隅から各対角線と４つの辺１１ａとがなす角度を分割した中間線に沿って伸び、等しい長さの線分位置で結合してＶ字状に形成されており、また４つの辺１１ａの中間位置に上下の目印が印刷されていることを特徴とする。【選択図】図１
0003206131.tif 000002
【実用新案登録請求の範囲】
【請求項１】
折り位置を示す折り線が印刷された正方形の折り鶴用の折り紙であって、第１の折り線は片方の対角線に沿って直線状に形成され、第２の折り線は四隅から各対角線と４つの辺とがなす角度を分割した中間線に沿って伸び、等しい長さの線分位置で結合してＶ字状に形成されており、また前記４つの辺の中間位置に上下の目印が印刷されていることを特徴とする折り鶴用の折り紙。
【請求項２】
前記折り位置を示す折り線は、印刷のみならず折り易さを向上させる型押し線をも形成されていることを特徴とする請求項１に記載の折り鶴用の折り紙。
【請求項３】
前記４つの辺の中間位置に印刷された上下の目印は、左右対称かつ上下非対称のハート形その他のシンボルマークや図形、文字から選ばれてなることを特徴とする請求項１または２に記載の折り鶴用の折り紙。
【考案の詳細な説明】
【技術分野】
【０００１】
本考案は折り鶴用の折り紙に関するものであり、詳しくは、折り方を示す折り線が予め印刷され、解説書などを参照せずに簡単に折り鶴ができる折り紙に関するものである。
【背景技術】
【０００２】
折り紙によって折り鶴を折ることは日本文化の一つであるが、古くから折られている折り鶴は男性や子供にはおり方が難しかった。そこで、昨今、折り紙の普及のため、種々の折り鶴用折り紙が提案されている。
以下のその例を列記する。
１）実開昭５２−１７６９７号公報（特許文献１参照）
所要平面積を有する紙面に所望物体を折る折り線をプレスしてなる折り線を施したおり紙。
２）実開昭５５−７５３９８号公報（特許文献２参照）
折り紙を早くきれいに折り易くするために、折ろうとする対象物の折り筋をつけておき、以上のように構成された筋付き折り紙。
３）実開昭６１−１０７９７号公報（特許文献３参照）
折り紙の表面取り面に、この折り紙にて折ろうとする折り紙細工の谷折り時の合せ用のマークを、折り線部に対して対称同一位置に、その谷折り順番を判別可能にして予め印刷したことを特徴とする折り紙。
４）実開平４−１８５９６号公報（特許文献４参照）
動植物や物の形象を完成させる場合に基本となる形を折るための筋が予め形成されてなる折紙。
５）実開平７−２７６９８号公報（特許文献５参照）
正方形の紙を、背中、翼の表・首または尾・翼の裏・くちばしまたは足の５種類に分けて着色することを特徴とする。
６）実用新案登録第３００９６７０号公報（特許文献６参照）
折り紙本体の縦・横中央線上個所、対角線上個所およびその他の線上個所に表裏に貫通する多数個の短い切線を点線状配置で設け、切線同士間の切断されていない個所の長さを当該切線の長さより長くしたもの。
７）実用新案登録第３０８５０３５号公報（特許文献７参照）
折り紙の紙上に、折り位置および折り目の種類を表わす折り線と、折り線の近傍に位置し、折り畳み操作の順序を示す折り順とからなる折り案内を時間の経過とともに消色するインキにより印刷し、この折り案内の指示にしたがって折り畳み操作を進めていくことにより所望の形状が具象化されるものとする。
８）特開２０１４−１０８３３６号公報（特許文献８参照）
折り紙は細かい線などが視にくくなるお年寄りや年少の子供たちには、その出来栄えにも大きく影響を与える最初の一折り目から慎重さと正確さが求められ、より簡単に折れる様、立体の折り筋を有した折り紙を特徴とする。
【先行技術文献】
【特許文献】
【０００３】
【特許文献１】実開昭５２−１７６９７号公報
【特許文献２】実開昭５５−７５３９８号公報
【特許文献３】実開昭６１−１０７９７号公報
【特許文献４】実開平４−１８５９６号公報
【特許文献５】実開平７−２７６９８号公報
【特許文献６】実用新案登録第３００９６７０号公報
【特許文献７】実用新案登録第３０８５０３５号公報
【特許文献８】特開２０１４−１０８３３６号公報
【考案の概要】
【考案が解決しようとする課題】
【０００４】
ところで、本考案の折り鶴用の折り紙は、折り位置を示す折り線が印刷された正方形の折り鶴用の折り紙であって、片方の対角線に沿って直線状に形成された折り線と、四隅から各対角線と４つの辺とがなす角度を分割した中間線に沿って伸び、等しい長さの線分位置で結合してＶ字状に形成された折り線とを備えている点で実開昭５５−７５３９８号公報（特許文献２参照）の筋付き折り紙（第２図）とほぼ軌を一にするものである。
【０００５】
もちろん、前記Ｖ字状に形成された折り線に沿って折り込んだ際には、折り難い部分のみを折ることができ、折紙の折り工程の面倒な部分を省略することが可能となる。
しかしながら、四隅から各対角線と４つの辺とがなす角度を分割した中間線に沿って伸び、等しい長さの線分位置で結合してＶ字状に形成された折り難い部分の折り線で折り込んだとしても、どの向きが折り鶴の上下を示すのかが分かりにくく、男性や子供には折り方が難しいという問題はあまり解決されていなかった。
【０００６】
本考案は、上記の実情に鑑みなされたものであり、その目的は折り方を示す折り線が予め印刷された折り紙であって、より簡単にかつ手際よく折ることができるように改良された折り鶴用折り紙を提供することにある。
【課題を解決するための手段】
【０００７】
上記の課題を解決するため本考案の折り鶴用の折り紙は、折り位置を示す折り線が印刷された正方形の折り鶴用の折り紙であって、第１の折り線は片方の対角線に沿って直線状に形成され、第２の折り線は四隅から各対角線と４つの辺とがなす角度を分割した中間線に沿って伸び、等しい長さの線分位置で結合してＶ字状に形成されており、また前記４つの辺の中間位置に上下の目印が印刷されていることを特徴とするものである。
【０００８】
本考案の折り鶴用の折り紙において、前記折り位置を示す折り線は、印刷のみならず折り易さを向上させる型押し線をも形成されていることをも特徴とするものである。
【０００９】
本考案の折り鶴用の折り紙において、前記４つの辺の中間位置に印刷された上下の目印は、左右対称かつ上下非対称のハート形その他のシンボルマークや図形、文字から選ばれてなることをも特徴とするものである。
【考案の効果】
【００１０】
本考案の折り鶴用折り紙によれば、折り難い部位を示す折り線とともに、前記４つの辺の中間位置に上下の目印が印刷されているため、男性や子供でもより簡単に手順よく折り鶴を折ることができる。
しかも、前記折り位置を示す折り線は、印刷のみならず折り易さを向上させる型押し線をも形成されているため、より一層綺麗に折り上げることができる。
また、前記４つの辺の中間位置に印刷された上下の目印は、左右対称かつ上下非対称のハート形その他のシンボルマークや図形、文字から選ばれており、男性や子供でも間違えることもなく手順よく折り鶴を折ることができる。
【図面の簡単な説明】
【００１１】
【図１】本考案に係る折り鶴用折り紙の実施の形態を示し、折り紙の裏面の折り難い部分に折り線を印刷した状態の展開図である。
【図２】折り紙の表面に上下の目印を印刷した状態の展開図である。
【図３】対角線位置で三角形に折り込んだ状態の斜視図である。
【図４】その中間位置でさらに折り込んで三角形とした状態の斜視図である。
【図５】一方の三角形を先端から拡げて四角形に折り込んだ状態の斜視図である。
【図６】他方の三角形も先端から拡げて四角形に折り込んだ状態の斜視図である。
【図７】四角形の一方の開放端を拡げ、Ｖ字状に形成された折り線に沿って内向きに折り込む途中の斜視図である。
【図８】前記Ｖ字状に形成された折り線に沿って内向きに折り込んだ状態の斜視図である。
【図９】四角形の他方の開放端を拡げ、Ｖ字状に形成された折り線に沿って内向きに折り込んだ状態の斜視図である。
【図１０】本考案に係る折り鶴用折り紙の別の実施の形態を示し、Ｖ字状に形成された４つの折り線の対向する頂点間を結んで交差する折り目を形成した状態の展開図である。
【図１１】折り紙の表面に上下の目印を印刷した状態の展開図である。
【図１２】対角線位置で折り込んだ状態の斜視図である。
【図１３】四隅から各対角線と４つの辺とがなす角度を分割した中間線に沿って伸び、等しい長さの線分位置で結合してＶ字状に形成された折り線に沿って内向きに折り込もうとする段階の展開図である。
【図１４】前記Ｖ字状に形成された折り線に沿って内向きに折り込む途中の段階の展開図である。
【図１５】四隅から各対角線と４つの辺とがなす角度を分割した中間線に沿って伸び、等しい長さの線分位置で結合してＶ字状に形成された折り線に沿って内向きに折り込もうとする段階の斜視図である。
【図１６】前記Ｖ字状に形成された折り線に沿って内向きに折り込む途中の段階の斜視図である。
【図１７】前記Ｖ字状に形成された折り線に沿ってさらに内向きに折り込む途中の段階の斜視図である。
【図１８】前記頂点を上向きに折り返した状態の斜視図である。
【図１９】前記折り位置を示す折り線としてミシン目を採用した場合の要部拡大斜視図である。
【図２０】前記折り位置を示す折り線として型押し線を採用した場合の要部拡大断面図である。
【図２１】本考案に係る折り鶴用折り紙の別の実施の形態を示し、上下の目印として並べたときに横書きの二字熟語となる文字を印刷した状態の展開図である。
【図２２】その反対側の面の展開図である。
【図２３】前記頂点を上向きに折り返した状態の斜視図である。
【図２４】前記頂点の位置する山形の部位をもう一方の側から見た状態を示す斜視図である。
【図２５】本考案に係る折り鶴用折り紙の別の実施の形態を示し、上下の目印として並べたときに縦書きの二字熟語となる文字を印刷した状態の展開図である。
【図２６】その反対側の面の展開図である。
【図２７】前記頂点を上向きに折り返した状態の斜視図である。
【図２８】前記頂点の位置する山形の部位をもう一方の側から見た状態を示す斜視図である。
【図２９】従来技術に係る折り紙において、（ａ）は折り込む前の折り紙、（ｂ）は縦横に折り込んだ状態の折り紙、（ｃ）は対角線方向に折り込んだ状態の折り紙、（ｄ）は折り目が入った状態を展開した折紙である。
【図３０】従来技術に係る折り紙において、（ａ）は展開状態から対角線部分を二つ折りに折り込もうとした折り紙、（ｂ）は対角線部分を二つ折りに折り込んで四角の状態とした折り紙、（ｃ）は対角線部分から両翼部分を縦の中央線に沿って内側に折り目を入れた状態の折り紙、（ｄ）は折り目が入った状態を展開した折紙である。
【図３１】従来技術に係る折り紙において、（ａ）は対角線部分で折り目を入れ、かつ両側の折り目部分の先端を結ぶ線で折返した状態の折り紙、（ｂ）は展開状態の折り紙、（ｃ）は四角の状態から両翼部分を縦の中央線に沿って内側に入れた折り目に沿って片方の側を引き伸ばした状態の折り紙、（ｄ）はもう片方の側を引き伸ばした状態の折り紙である。
【考案を実施するための形態】
【００１２】
本考案に係る折り鶴用折り紙の一実施形態を図面に基いて説明する。
先ず、本考案の折り鶴用折り紙と対比するために従来技術に係る折り紙の折り方を、図２９ないし図３１に基いて説明する。
図２９に示す従来技術に係る折り紙において、（ａ）は折り込む前の折り紙、（ｂ）は折り紙を４分割するように縦横に折り込んだ状態の折り紙、（ｃ）は一対の対向する角の間を結んで対角線方向に折り込んだ状態の折り紙、（ｄ）は縦横および対角線方向に折り目が入った状態を展開した折紙である。
【００１３】
次に、図３０に示す従来技術に係る折り紙において、（ａ）は展開状態から対角線部分を二つ折りに折り込もうとした折り紙、（ｂ）は対角線部分を二つ折りに折り込んで四角の状態とした折り紙、（ｃ）は対角線部分から両翼部分を縦の中央線に沿って内側に折り目を入れた状態の折り紙、（ｄ）は折り目が入った状態を展開した折紙である。このように、予め折り目を入れておくことで折り易さが向上する。
【００１４】
その上で図３１に示す従来技術に係る折り紙において、（ａ）は対角線部分で折り目を入れ、かつ両側の折り目部分の先端を結ぶ線で折返した状態の折り紙、（ｂ）は展開状態の折り紙、（ｃ）は四角の状態から両翼部分を縦の中央線に沿って内側に入れた折り目に沿って片方の側を引き伸ばした状態の折り紙、（ｄ）はもう片方の側を引き伸ばした状態の折り紙である。
この段階まで到達すれば、あとの折り方は男性や子供でも容易となるので、以下は省略する。
【００１５】
ひるがえって本考案の折り鶴用折り紙は、図１ないし図９に示す構成および折り順で折り上げることができる。
すなわち本実施例の折り鶴用折り紙は、図１に示すように折り紙の裏面に折り位置を示す折り線１２，１３が印刷された正方形の折り鶴用の折り紙１１であって、第１の折り線１２は片方の対角線に沿って直線状に形成されており、また第２の折り線１３は四隅から各対角線と４つの辺１１ａとがなす角度を分割した中間線に沿って伸び、等しい長さの線分位置で結合してＶ字状に形成されている。このように折り位置を示すよう印刷された折り線１２，１３は非常に簡略化されたものである。
【００１６】
ちなみに本実施例の特徴とするところは、折り位置を示す折り線１２，１３が印刷された折り鶴用の折り紙１１であるというにとどまらず、図２に示すように折り紙１１の表面において前記４つの辺１１ａ上の中間位置に左右対称かつ上下非対称の上下の目印１４が印刷されているという点にある。
そのような、前記４つの辺の中間位置に印刷された上下の目印１４としては、図示したハート形のみならず、スペードやクローバ、その他のシンボルマークや図形、文字から適宜選ぶことができる。この場合、文字としては「祈願」、「健康」、「平和」等の熟語が考えられ、一文字づつを前記４つの辺１１ａ上の適宜位置に印刷することができる。
図では前記４つの辺の中間位置に印刷された上下の目印１４は、前記対角線に沿って印刷された第１の折り線１２の上下において、対角線の両端に向かう方向を上向きとして印刷された、半割りのハート形１４ａからなるものである。
【００１７】
このような本願考案の折り鶴用折り紙の特徴について、その折り方とともに説明する。
１）まず、図１および図２のような、折り位置を示す第１の折り線１２，第２の折り線１３、および左右対称かつ上下非対称の上下の目印１４が印刷された折り鶴用の折り紙１１を準備する。
２）その上で図３に示すように、片方の対角線に沿って直線状に形成された第１の折り線１２に沿って内向きに折り返す。
３）次いで、図４に示すようにその中間位置でさらに折り込んで三角形に折り込む。そして図５に示すように一方の三角形を先端から拡げて四角形に折り込み、図６に示すように他方の三角形も先端から拡げて四角形に折り込む。図７は四角形の一方の開放端を拡げ、Ｖ字状に形成された折り線１３に沿って内向きに折り込もうとする段階を示すものである。
４）その後、図８に示すように、Ｖ字状に形成された前記第２の折り線１３で菱形となるように順次折り畳むと、図９に示すような完全な菱形の形状が現れる。
【００１８】
その際、前記４つの辺の中間位置に印刷された上下の目印１４は、前記第２の折り線１３で挟まれた山形の部位１５どうしが突き合わされ、それぞれに形成された半割りのハート形１４ａは結合して完全なハート形が完成する。それと同時にハート形は左右対称かつ上下非対称であるため、図９に示すような完全な菱形の形状における上下の向きが確実に判断できることになる。
したがって、菱形の形状が完成した後の手順は、男性や子供でも無理なく進めることができるのである。
【００１９】
本考案の折り鶴用折り紙１１によれば、折り難い部位を示す折り線１２，１３とともに、前記４つの辺の中間位置に上下の目印１４が印刷されているため、男性や子供でもより簡単に手順よく折り鶴を折ることができる。
以上のように、難しい部分のみを経験的にその形状を認識させることにより、すなわち何回か図１ないし図９の手順を繰り返すだけで、男性や子供でも無理なく折り鶴を折ることができるのである。
他方、折り鶴の全ての手順を示すガイドを付けることは、余計につくり手を混乱させることとなることが認められている。
【００２０】
図１０ないし図１８は本考案の折り鶴用折り紙の別の実施の形態であり、そこに示す構成および折り順で折り上げることができる。
すなわち本実施例の折り鶴用折り紙も基本的には前記実施例と同様であり、図１０に示すように折り紙の裏面に折り位置を示す折り線１２，１３が印刷された正方形の折り鶴用の折り紙１１であって、第１の折り線１２は片方の対角線に沿って直線状に形成されており、また第２の折り線１３は四隅から各対角線と４つの辺１１ａとがなす角度を分割した中間線に沿って伸び、等しい長さの線分位置で結合してＶ字状に形成されている。また、Ｖ字状に形成された４つの折り線１３の対向する頂点１３ａ間を結んで交差するＸ状の線上およびＸ状の両端を連結する線上に折り目１６（２つの三角が頂点で突き合わされるように）を形成しておく。この折り目１６は印刷不要であり、予め折り目を形成したり、型押しによって形成しておけばよい。
このように折り位置を示すよう印刷された折り線１２，１３および折り目１６は非常に簡略化されたものである。
【００２１】
ちなみに本実施例の特徴とするところは、折り位置を示す折り線１２，１３が印刷され、折り目１６が形成された折り鶴用の折り紙１１であるというにとどまらず、図１１に示すように折り紙１１の表面において前記４つの辺１１ａ上の中間位置に左右対称かつ上下非対称の上下の目印１４が印刷されているという点にある。
そのような、前記４つの辺の中間位置に印刷された上下の目印１４としては、図示したハート形のみならず、スペードやクローバ、その他のシンボルマークや図形、文字から適宜選ぶことができる。この場合、文字としては「祈願」、「健康」、「平和」等の熟語が考えられ、一文字づつを前記４つの辺１１ａ上の適宜位置に印刷することができる。
図では前記４つの辺の中間位置に印刷された上下の目印１４は、前記対角線に沿って印刷された第１の折り線１２の上下において、対角線の両端に向かう方向を上向きとして印刷された、半割りのハート形１４ａからなるものである。
【００２２】
このような本願考案の折り鶴用折り紙の特徴について、その折り方とともに説明する。
１）まず、図１０のような、折り位置を示す第１の折り線１２，第２の折り線１３が印刷され、またＶ字状に形成された４つの折り線１３の対向する頂点１３ａ間を結んで交差するＸ状の線上およびＸ状の両端を連結する線上に折り目１６（２つの三角が頂点で突き合わされるように）が形成された折り鶴用の折り紙１１を準備する。この折り目１６は印刷不要であり、予め折り目を形成したり、型押しによって形成しておけばよい。なおその裏面には、図１１に示すように左右対称かつ上下非対称の上下の目印１４が印刷されている。
２）その上で図１２に示すように、片方の対角線に沿って直線状に形成された第１の折り線１２と直交するように外向きに折り返し、折り目を付ける。
３）次いで、図１３に示すように四隅から各対角線と４つの辺１１ａとがなす角度を分割した中間線に沿って伸び、等しい長さの線分位置で結合してＶ字状に形成された第２の折り線１３に沿って、それぞれ内向きに折り返す。図１４は前記Ｖ字状に形成された第２の折り線１３に沿って内向きに折り込む途中の段階の展開図、図１５は四隅から各対角線と４つの辺１１ａとがなす角度を分割した中間線に沿って伸び、等しい長さの線分位置で結合してＶ字状に形成された第２の折り線１３に沿って内向きに折り込もうとする段階の斜視図であり、図１６は前記Ｖ字状に形成された第２の折り線１３に沿って内向きに折り込む途中の段階の斜視図である。
４）その後、図１７に示すように、前記第２の折り線１３で挟まれた山形の部位１５を交互に平板状と二つ折りとをくり返すように折り畳めば、Ｖ字状に形成された４つの折り線１３の対向する頂点１３ａ間を結んで交差する線上に形成した折り目１６によってスムーズに折り畳むことができる。しかもＸ状の両端を連結する線上に形成した折り目１６に沿って前面および後面の平板状の山形の部位１５を上向きに折り返すと、図１８に示すような完全な菱形の形状が現れる。
【００２３】
その際、前記４つの辺の中間位置に印刷された上下の目印１４は、前記第２の折り線１３で挟まれた山形の部位１５どうしが突き合わされ、それぞれに形成された半割りのハート形１４ａは結合して完全なハート形が完成する。それと同時にハート形は左右対称かつ上下非対称であるため、図１８に示すような完全な菱形の形状における上下の向きが確実に判断できることになる。
したがって、菱形の形状が完成した後の手順は、男性や子供でも無理なく進めることができるのである。
【００２４】
本考案の折り鶴用の折り紙１１において、前記折り位置を示す折り線１２，１３は、印刷のみならず折り易さを向上させる型押し線１７をも形成されていることが望ましい。
図１９はこのような型押し線１７の１例としてのミシン目１７ａを示す要部拡大斜視図、図２０は型押し溝１７ｂを示す要部拡大断面図である。
【００２５】
本考案の折り鶴用折り紙１１によれば、折り難い部位を示す折り線１２，１３とともに、前記４つの辺の中間位置に上下の目印１４が印刷されているため、男性や子供でもより簡単に手順よく折り鶴を折ることができる。
しかも、前記折り位置を示す折り線１２，１３は、印刷のみならず折り易さを向上させる型押し線１７をも形成されているため、より一層綺麗に折り上げることができる。
以上のように、難しい部分のみを経験的にその形状を認識させることにより、すなわち何回か図１０ないし図１８の手順を繰り返すだけで、男性や子供でも無理なく折り鶴を折ることができるのである。
他方、折り鶴の全ての手順を示すガイドを付けることは、余計につくり手を混乱させることとなることが認められている。
【００２６】
図２１ないし図２４は本考案に係る折り鶴用折り紙の別の実施の形態を示し、図２１および図２２は上下の目印２４として並べたときに横書きの二字熟語となる文字「平和」、「祈願」を構成する文字２４ａを印刷したものである。
図２１において正方形の折り鶴用の折り紙２１には折り線２２，２３が印刷されており、第１の折り線２２は片方の対角線に沿って直線状に形成されており、また第２の折り線２３は四隅から各対角線と４つの辺２１ａとがなす角度を分割した中間線に沿って伸び、等しい長さの線分位置で結合してＶ字状に形成されている。
【００２７】
図２３は前記頂点を上向きに折り返した状態を、図２４は前記頂点の位置する山形の部位２５をもう一方の側から見た状態を示すものである。その際、図２３に現れる上下の目印２４としては横書きの平和の文字２４ａが、図２４に現れる上下の目印２４としては横書きの祈願の文字２４ａが現れる。
【００２８】
さらに図２５ないし図２８は本考案に係る折り鶴用折り紙のさらに別の実施の形態を示す。
図２５において正方形の折り鶴用の折り紙３１には折り線３２，３３が印刷されており、第１の折り線３２は片方の対角線に沿って直線状に形成されており、また第２の折り線３３は四隅から各対角線と４つの辺３１ａとがなす角度を分割した中間線に沿って伸び、等しい長さの線分位置で結合してＶ字状に形成されている。
そして図２５および図２６に示すように、４つの辺３１ａには上下の目印３４として並べたときに縦書きの二字熟語となる文字３４ａが印刷してある。
図２７は前記頂点を上向きに折り返した状態を、図２８は前記頂点の位置する山形の部位３５をもう一方の側から見た状態を示すものである。その際、図２７に現れる上下の目印３４としては縦書きの平和の文字３４ａが、図２８に現れる上下の目印３４としては縦書きの祈願の文字３４ａが現れる。
【産業上の利用可能性】
【００２９】
本考案の折り鶴用折り紙においては、折り位置を示す折り線１２，１３、折り線２２，２３、折り線３２，３３が印刷された正方形の折り鶴用の折り紙１１，２１，３１であって、第１の折り線１２，２２，３２は片方の対角線に沿って直線状に形成されており、また第２の折り線１３，２３，３３は四隅から各対角線と４つの辺１１ａ、２１ａ，３１ａとがなす角度を分割した中間線に沿って伸び、等しい長さの線分位置で結合してＶ字状に形成されている。
しかも、本考案の特徴とするところは折り位置を示す折り線１２，１３、折り線２２，２３、折り線３２，３３が印刷された折り鶴用の折り紙１３，２３，３３であるというにとどまらず、前記４つの辺１１ａ、２１ａ，３１ａ上の中間位置に上下の目印１４，２４，３４が印刷されているという点にある。
このように構成された折り鶴用折り紙においては、例えば１００枚を１ロットとする折り紙の束において、例えば５〜２０枚程度のみ折り線１２，１３、折り線２２，２３、折り線３２，３３と上下の目印１４，２４，３４とを印刷しておき、その枚数を折り込む間に習熟させることによって後の枚数はその経験を生かして折り込むようにすればよい。
【符号の説明】
【００３０】
１１  折り鶴用折り紙
１１ａ  ４つの辺
１２  第１の折り線
１３  第２の折り線
１３ａ  頂点
１４  上下の目印
１４ａ  半割りのハート形
１５  山形の部位
１６  折り目
１７  型押し線
１７ａ  ミシン目
１７ｂ  型押し溝
２１  折り鶴用折り紙
２１ａ  ４つの辺
２２  第１の折り線
２３  第２の折り線
２４  上下の目印
２４ａ  横書きの文字
２５  山形の部位
３１  折り鶴用折り紙
３１ａ  ４つの辺
３２  第１の折り線
３３  第２の折り線
３４  上下の目印
３４ａ  縦書きの文字
３５  山形の部位
【図１】
0003206131.tif 000003
【図２】
0003206131.tif 000004
【図３】
0003206131.tif 000005
【図４】
0003206131.tif 000006
【図５】
0003206131.tif 000007
【図６】
0003206131.tif 000008
【図７】
0003206131.tif 000009
【図８】
0003206131.tif 000010
【図９】
0003206131.tif 000011
【図１０】
0003206131.tif 000012
【図１１】
0003206131.tif 000013
【図１２】
0003206131.tif 000014
【図１３】
0003206131.tif 000015
【図１４】
0003206131.tif 000016
【図１５】
0003206131.tif 000017
【図１６】
0003206131.tif 000018
【図１７】
0003206131.tif 000019
【図１８】
0003206131.tif 000020
【図１９】
0003206131.tif 000021
【図２０】
0003206131.tif 000022
【図２１】
0003206131.tif 000023
【図２２】
0003206131.tif 000024
【図２３】
0003206131.tif 000025
【図２４】
0003206131.tif 000026
【図２５】
0003206131.tif 000027
【図２６】
0003206131.tif 000028
【図２７】
0003206131.tif 000029
【図２８】
0003206131.tif 000030
【図２９】
0003206131.tif 000031
【図３０】
0003206131.tif 000032
【図３１】
0003206131.tif 000033